(57)【要約】【課題】断熱材を冷蔵庫本体に充填する際には庫内の電気部品を接続するための配線部品を保持し、断熱材を充填後には配線部品を電気部品に対して容易に接続することができる冷蔵庫を提供する。【解決手段】冷蔵庫１は、内箱２０と外箱２１を有する冷蔵庫本体２と、内箱２０に設けられた貫通孔２３に固定され、内箱２０内に配置される電気部品としての例えば照明基板１２に接続される配線３０と配線３０に取り付けられたコネクタ３１からなる配線部品３２を保持して、配線部品３２を外箱２１と内箱２０の間から内箱２０内に導く固定具５０を備える。この固定具５０は、配線部品３２を保持する配線部品保持部５１と、固定具５０を内箱２０に接続して固定する接続部５２を有する。【選択図】図３
2018059640.tif 000002
【特許請求の範囲】
【請求項１】
内箱と外箱を有する冷蔵庫本体と、
前記内箱に設けられた貫通孔に固定され、前記内箱内に配置される電気部品に接続するための配線と前記配線に取り付けられたコネクタからなる配線部品を、前記外箱と前記内箱の間から前記内箱内に導く固定具と、を備え、
前記固定具は、前記配線部品を保持する配線部品保持部と、前記固定具を前記内箱に接続して固定する接続部と、を有することを特徴とする冷蔵庫。
【請求項２】
前記固定具の前記配線部品保持部は、前記配線を巻き付けて保持する巻き付け部と、前記コネクタを保持するコネクタ保持部を有することを特徴とする請求項１に記載の冷蔵庫。
【請求項３】
前記固定具の前記接続部は、前記貫通孔を形成している前記内箱の周囲部分に係合される係合部を有することを特徴とする請求項１または２に記載の冷蔵庫。
【請求項４】
前記固定具は、前記配線部品を通すための配線部品導通孔を有していることを特徴とする請求項１乃至３のいずれかに記載の冷蔵庫。
【請求項５】
前記固定具は、前記内箱と前記外箱の間に断熱材を充填する際に、充填される前記断熱材が、前記貫通孔を形成している前記内箱の前記周囲部分と前記固定具との間から前記内箱内へ漏れるのを防止する漏れ防止部を有することを特徴とする請求項３に記載の冷蔵庫。
【請求項６】
前記固定具は、前記電気部品を保持する保持部品を支えるための支持部を有することを特徴とする請求項１乃至５のいずれかに記載の冷蔵庫。
【請求項７】
前記接続部の前記係合部は、前記内箱の前記貫通孔に通して前記内箱の前記貫通孔を形成している前記周囲部分に係合され、前記配線部品導通孔のサイズは、前記コネクタのサイズよりも大きく設定されていることを特徴とする請求項４に記載の冷蔵庫。
【発明の詳細な説明】
【技術分野】
【０００１】
本発明の実施の形態は、冷蔵庫に関する。
【背景技術】
【０００２】
断熱性を有する冷蔵庫本体の庫内には、庫内灯等の電気部品が設置されている(特許文献１を参照)。冷蔵庫本体は外箱と内箱を有し、外箱と内箱の間には断熱材が配置され、庫内灯等の電気部品が内箱の内部に配置されている。
【先行技術文献】
【特許文献】
【０００３】
【特許文献１】特開２００７−１３２５６２号
【発明の概要】
【発明が解決しようとする課題】
【０００４】
ところで、内箱に配置されている庫内灯等の電気部品に対して、電気的な配線接続をするためには、内箱の外側から内箱の内面側へ配線を入れ込む必要がある。しかも、ウレタン等の断熱材を冷蔵庫本体の外箱と内箱の間に発泡して充填する作業では、治具は、内箱の内面側に当てることで、内箱が断熱材の圧力により押されて変形するのを抑制する必要がある。
【０００５】
本発明は、上記に鑑みてなされたもので、その目的とするところは、断熱材を冷蔵庫本体に充填する際には庫内の電気部品を接続するための配線部品を保持し、断熱材を充填後には配線部品を電気部品に対して容易に接続することができる冷蔵庫を提供することにある。
【課題を解決するための手段】
【０００６】
本発明の実施の形態の冷蔵庫は、内箱と外箱を有する冷蔵庫本体と、前記内箱に設けられた貫通孔に固定され、前記内箱内に配置される電気部品に接続するための配線と前記配線に取り付けられたコネクタからなる配線部品を、前記外箱と前記内箱の間から前記内箱内に導く固定具と、を備え、前記固定具は、前記配線部品を保持する配線部品保持部と、前記固定具を前記内箱に接続して固定する接続部と、を有する。
【図面の簡単な説明】
【０００７】
【図１】本発明の実施形態に係わる冷蔵庫の全体を示す斜視図である。
【図２】図１に示す内箱から、パネルと照明部を取り外した状態を示す分解斜視図である。
【図３】図２に示すパネルと、シェードと、固定具と、内箱と、外箱等の構造例を示す断面図である。
【図４】図３に示す固定具を示す斜視図である。
【図５】内箱の貫通孔に固定具を挿入して固定した状態を示す断面図である。
【図６】固定具の配線部品導通孔に配線を通した状態を示す断面図である。
【図７】配線を固定具に巻き付けて、コネクタをコネクタ保持部に保持させた状態を示す断面図である。
【図８】内箱と外箱の間に、断熱材を充填する様子を示す断面図である。
【図９】固定具を用いて、パネルのカバー部分を取り付けた状態を示す断面図である。
【発明を実施するための形態】
【０００８】
以下、図面を用いて、本発明の実施するための形態（以下、実施形態と称する）を説明する。
【０００９】
図１は、本発明の実施形態に係わる冷蔵庫の全体を示す斜視図であり、冷蔵室５の扉７が開いた状態を示している。図２は、図１に示す冷蔵庫本体２の内箱２０から、パネル１０と照明部１１を取り外した状態を示す分解斜視図である。
【００１０】
図１に示す冷蔵庫１は、冷蔵庫本体２を有している。この冷蔵庫本体２の内部には、複数の貯蔵室が形成されている。複数の貯蔵室としては、例えば、冷凍温度帯に冷却可能な冷凍区画としての冷凍室４が上側に設けられ、この冷凍室４の下には、冷蔵温度帯に冷却可能な冷蔵区画としての冷蔵室５が設けられている。
【００１１】
図１に示すように、片開き式の扉６が、冷凍室４の前面に設けられている。この扉６は、冷凍室４の前面開口部４Ａを開閉するために、この扉６の端部が、図示しないヒンジにより、冷蔵庫本体２に対して、回転可能に取り付けられている。同様にして、扉７が、冷蔵室５の前面に設けられている。扉７は、冷蔵室５の前面開口部５Ａを開閉するために、この扉７の端部が、図示しないヒンジにより、冷蔵庫本体２に対して、回転可能に取り付けられている。
【００１２】
図１に示す冷凍室４と冷蔵室５は、内箱２０により形成されている。この冷蔵室５は、内箱２０内に、パネル１０、照明部１１、野菜を入れる野菜箱１２、棚板１８等が配置されている。パネル１０は、冷蔵室５内の上部において着脱可能に取り付けられている。照明部１１は、パネル１０に配置され、図１に示す扉７を開けたときに、冷蔵室５内を均一に照明する。
【００１３】
図２に示すように、冷蔵室５では、内箱２０が、後で説明する固定具５０を備えている。パネル１０は、例えばプラスチックの成形品であり、パネル１０は、内箱２０に対して例えばネジ１９により固定されている。固定具５０は、内箱２０に対して、パネル１０の後側の位置に取り付けられている。パネル１０には、照明部１１が固定されている。この照明部１１は、照明基板１２と、シェード１３を有している。照明基板１２は、例えばＬＥＤ（発光ダイオード）等の光源１２Ｌを有している。シェード１３は、例えばプラスチック製であり、照明基板１２の前面側を覆っており、シェード１３は透光性を有する。
【００１４】
図３は、図２に示すパネル１０と、シェード１３と、固定具５０と、内箱２０と、外箱２１等の構造例を示す断面図である。
【００１５】
図３に示すように、冷蔵庫本体２は、外側側板からなる外箱２１と、内側側板からなる内箱２０を有し、その外箱２１と内箱２２の間には、例えば発泡ポリウレタンのような発泡断熱材である断熱材２２が充填することで配置されている。外箱２１と内箱２０は、例えばプラスチックにより作られている。
【００１６】
まず、内箱２０と外箱２１と、パネル１０とシェード１３について、説明する。
【００１７】
図３に示すように、内箱２０には、例えば円形の貫通孔２３が形成されている。固定具５０は、この内箱２０の貫通孔２３に差し込むことで、内箱２０の内面２０Ｎ側において、Ｘ方向に沿って突き出した状態で固定されている。このＸ方向は、内箱２０が形成している冷蔵室５の奥行方向である。またＹ方向は、冷蔵室５の左右方向である。Ｚ１方向は、下方向である。
【００１８】
図３に示すように、パネル１０は、カバー部分２４を有しており、カバー部分２４は凹部２５を有している。カバー部分２４は、電気部品である照明基板１２を保持するための保持部品の例である。カバー部分２４の凹部２５には、電気部品としての照明基板１２を取り付けるための取付部２６，２７が、突出して設けられている。この取付部２６，２７は、照明基板１２をＺ１方向に沿って固定している。照明基板１２には、少なくとも１つの光源１２Ｌが搭載されている。
【００１９】
図３に示すシェード１３は、パネル１０の凹部２５を覆うためにパネル１０の凹部２５に対して、着脱可能に固定されている。シェード１３は、爪部１３Ｍと爪部１３Ｎを有する。凹部２５は、爪取付部２５Ｍ，２５Ｎを有する。シェード１３の爪部１３Ｍは、爪取付部２５Ｍにはめ込み、シェード１３の爪部１３Ｎは、爪取付部２５Ｎにはめ込むことで、シェード１３は、パネル１０に取り付けられてパネル１０の凹部２５を覆う。
【００２０】
このシェード１３は、内側に光源１２Ｌが発生する照明光を分散させる凹凸部１３Ｐを有している。これにより、照明基板１２の光源１２Ｌが発生する照明光は、シェード１３を通ることで分散して、冷蔵室５内を均一に照明することができる。
【００２１】
図３に示すように、パネル１０のカバー部分２４は、上延長部２８と、下延長部２９を有する。上延長部２８は、Ｘ方向に沿って内箱２０の内面２０Ｎに向けて形成されている。上延長部２８の先端には、爪部分２８Ｂを有する。下延長部２９の先端部２９Ｂは、内箱２０の内面２０Ｎに突き当てられている。
【００２２】
次に、図３と図４を参照して、固定具５０について説明する。図４は、図３に示す固定具５０を示す斜視図である。
【００２３】
図３と図４に示す固定部５０は、好ましくは例えばプラスチック製のほぼ円筒状の部材である。図３に示すように、固定具５０は、内箱２０に設けられた例えば円形の貫通孔２３に対して、内箱２０の内面２０Ｎ側からはめ込むことで、内箱２０に接続して固定されている。この固定部５０は、内箱２０と外箱２１の間から、内箱２０の内面２０Ｎ側へ配線３０を通して導くために用いられる。この配線３０は束線ともいう。
【００２４】
図３に示すように、配線３０は、外箱２１と内箱２０の間から、固定部５０を通っており、配線３０の先端に取り付けられた電気的接続用のコネクタ３１は、内箱２０内に配置されている照明基板１２のコネクタ受け部１２Ｒに対して、電気的に接続されている。配線３０とこの配線３０の先端に電気的に取り付けられているコネクタ３１は、配線部品３２を構成している。配線３０は、冷蔵庫本体２に配置された制御部１００に電気的に接続されている。
【００２５】
図３と図４に示すように、固定具５０は、配線部品３２を保持する配線部品保持部５１と、この固定具５０を内箱２０に対して接続して固定する接続部５２を有する。配線部品保持部５１は、配線部品３２の配線３０を巻き付けて保持する巻き付け部５３と、コネクタ３１をはめ込んで保持するコネクタ保持部５４を有する。
【００２６】
図３と図４に示すように、固定具５０は、配線３０を通すための配線部品導通孔５５を有する。この配線部品導通孔５５の内径のサイズは、配線３０のサイズと、コネクタ３１のサイズよりも大きく設定されている。これにより、配線３０とコネクタ３１は、固定具３０の配線部品導通孔５５内を、容易にしかも確実に通すことができる。
【００２７】
図３に示すように、固定具５０の接続部５２は、複数の係合部５６と、漏れ防止部５７を有する。漏れ防止部５７は、固定具５０の外周囲面５０Ｒから半径方向に突出して形成されたフランジ状の部材である。この漏れ防止部５７は、内箱２０の貫通孔２３を形成する周囲部分２３Ｂの内面２０Ｎ側に密着する部分である。
【００２８】
一方、図３に示すように、少なくとも２つの係合部５６は、例えば断面三角形状を有する爪状の部分である。漏れ防止部５７と係合部５６の間には、内箱２０を挟み込めるような隙間が設けられている。係合部５６は、内箱２０の貫通孔２３を形成する周囲部分２３Ｂの外面２０Ｍ側に係合される。
【００２９】
これにより、固定具５０は、係合部５６を内箱２０の貫通孔２３に通してはめ込むことにより、漏れ防止部５７と係合部５６との隙間には、内箱２０の周囲部分２３Ｂが密着してはまり込む。すなわち、漏れ防止部５７は、内箱２０の貫通孔２３を形成する周囲部分２３Ｂの内面２０Ｎ側に密着した状態にして、係合部５６は、内箱２０に対して密着して固定することができる。この漏れ防止部５７は、内箱２０と外箱２１の間に充填して配置される発泡ポリウレタンのような断熱材２２が、貫通孔２３の周囲部分２３Ｂと固定具５０の外周囲面５０Ｒを通じて、内箱２０の内面２０Ｎ側へ漏れるのを防止することができる。
【００３０】
図３と図４に示す配線部品保持部５１は、内箱２０と外箱２１の間に断熱材２２を充填する際に、配線部品３２の配線３０とコネクタ３１を、固定具５０において一時的に退避して保持させることができる。
【００３１】
配線部品保持部５１の巻き付け部５３は、配線３０を一時的に巻き付けて保持することができる。巻き付け部５３は、配線３０を巻き付けるための外周囲面５０Ｒと、配線案内用の切り込み部分５０Ｓを有する。
【００３２】
また、コネクタ保持部５４は、配線案内用の切り込み部分５０Ｔと、コネクタ位置固定部分５９を有する。配線案内用の切り込み部分５０Ｓと配線案内用の切り込み部分５０Ｔは、配線３０をはめ込んで一時的に保持するために、固定具５０の軸方向に平行に形成されており、配線案内用の切り込み部分５０Ｓと配線案内用の切り込み部分５０Ｔは、１８０度反対の位置にある。
【００３３】
コネクタ位置固定部分５９は、コネクタ３１の周囲を囲む部分５９Ｂ、５９Ｃを有している。コネクタ位置固定部分５９は、固定具５０の外周囲から下向きのＺ１方向に突出して形成されている。
【００３４】
配線３０は、図４に示すように固定具５０の配線部品導通孔５５に通して、配線案内用の切り込み部分５０Ｓに通すことで外周囲面５０Ｒへ取り出して、その後外周囲面５０Ｒにおいて複数回巻き付ける。そして、配線３０は、再び配線案内用の切り込み部分５０Ｓに通して配線部品導通孔５５内に再び入れるとともに、配線案内用の切り込み部分５０Ｔに通す。これにより、コネクタ３１は、コネクタ位置固定部分５９のコネクタ３１の周囲を囲む部分５９Ｂ、５９Ｃ内に、はめ込んでコネクタ３１の位置を固定するようになっている。
【００３５】
図３に示すように、配線３０を固定具３０の配線部品導通孔５５内に通した状態で、ソフトテープ等の充填材５７を、固定具３０の配線部品導通孔５５に充填する。これにより、固定具３０の配線部品導通孔５５内は充填材５７により塞ぐことができ、内箱２０の内面２０Ｎと、断熱材２２の間を、熱の移動と空気の移動と水分の移動を遮断することができる。
【００３６】
図３と図４に示すように、固定具５０は、少なくとも１つの支持部６０を有する。この支持部６０は、例えば断面三角形状の爪部分であり、固定具５０の外周囲面５０Ｒに突出して設けられている。
【００３７】
図３に示すように、支持部６０は、内箱２０の内面２０Ｎ側に配置されるパネル１０のカバー部分２４を取り付けるために、カバー部分２４の上延長部２８の爪部分２８Ｂにかみ合う。パネル１０は、冷蔵室５内に配置される内部部品の一例である。これにより、パネル１０は、カバー部分２４を介して、固定具５０に対してワンタッチで簡単に取り付けることができる。配線３０のコネクタ３１は、照明基板１２のコネクタ受け部１２Ｒに電気的に接続され、配線３０の途中部分を、カバー部分２４に設けられた通し孔２４Ｈを通している。
【００３８】
次に、図５から図９と図３を参照して、固定具５０を内箱２０に取り付けてパネル１０を取り付け、配線部品３２を電気配線した後に、シェード１３を取り付ける手順について説明する。
【００３９】
図５は、内箱２０の貫通孔２３に固定具５０を挿入して固定した状態を示し、図６は、固定具５０の配線部品導通孔５５に配線３０とコネクタ３１を通した状態を示している。図７は、配線３０を固定具５０の巻き付け部５３に巻き付けて、コネクタ３１をコネクタ保持部５４に保持させた状態を示す。図８は、内箱２０と外箱２１の間に、断熱材２２を充填する様子を示す。図９は、固定具５０を用いて、パネル１０のカバー部分２４を取り付けた状態を示す。
【００４０】
図５に示すように、固定具５０の接続部５２の係合部５６が、内箱２０の貫通孔２３内に、内箱２０の内面２０Ｎ側から外面２０Ｍに向けて、Ｘ１方向にはめ込まれる。これにより、この係合部５６が、内箱２０の外面２０Ｍ側に係合され、漏れ防止部５７と係合部５６の隙間には内箱２０の周囲部分２３Ｂがはまり込む。
【００４１】
フランジ状の漏れ防止部５７は、内箱２０の貫通孔２３を形成する周囲部分２３Ｂの内面２０Ｎ側に密着した状態になる。このため、漏れ防止部５７は、内箱２０と外箱２１の間に充填して配置される発泡ポリウレタンのような断熱材２２が、貫通孔２３から内箱２０の内面２０Ｎ側へ漏れるのを防止することができる。
【００４２】
次に、図６に示すように、配線部品３２の配線３０を、固定具５０の内端開口５０Ｐから矢印Ｗ方向に沿って配線部品導通孔５５に通して、コネクタ３１を外端開口５０Ｑから取り出す。そして、配線部品導通孔５５には、内端開口５０Ｐ側から、例えばソフトテープのような充填材５７を充填することで、配線部品導通孔５５内を塞ぐ。
【００４３】
これにより、充填材５７は、配線部品導通孔５５を通じての空気の出入りや水分の出入り、熱の出入りを無くして、内箱２０の内面２０Ｎと、断熱材２２との間を、遮断することができる。
【００４４】
次に、図７と図４に示すように、配線３０は、固定具５０の配線部品導通孔５５から配線案内用の切り込み部分５０Ｓに通して、外周囲面５０Ｒへ取り出すことで、巻き付け部５３の外周囲面５０Ｒにおいて複数回巻き付ける。そして、配線３０は、再び配線案内用の切り込み部分５０Ｓに通して配線部品導通孔５５内に入れるとともに、反対側の配線案内用の切り込み部分５０Ｔに通す。この状態で、コネクタ３１は、コネクタ位置固定部分５９のコネクタ３１の周囲を囲む部分５９Ｂ、５９Ｃ内に、はめ込んでコネクタ３１の位置を固定する。
【００４５】
次に、図８に示すように、内箱２０と外箱２１の間に断熱材２２を充填する作業を行う。この充填作業の際には、内箱２０の内面２０Ｎには、例えば金属製の治具７０を当てる。この治具７０は、断熱材２２が発泡して充填される際に内箱２０へかかる力を受け止めることで、内箱２０の変形を防ぐ。治具７０は、凹部７１，７２を有している。この凹部７１，７２は、固定具５０を避けるために形成されている。
【００４６】
これにより、内箱２０と外箱２１の間に断熱材２２を充填する作業を行う際に、配線３０とコネクタ３１からなる配線部品３２は、固定具５０において一時的に退避した状態で保持させることができる。このため、配線部品３２があっても、断熱材２２を充填する作業を容易に行うことができる。
【００４７】
断熱材２２の充填が終了すると、図８から図９に示すように、治具７０を取り除く。そして、図９に示すように、コネクタ３１は、固定具５０のコネクタ位置固定部分５９から取り外すとともに、配線３０の外周囲面５０Ｒにおける巻き付けを解く。
【００４８】
図９に示すように、固定具５０の支持部６０は、内箱２０の内面２０Ｎ側において、パネル１０のカバー部分２４を取り付けるために、カバー部分２４の上延長部２８の爪部分２８Ｂにかみ合わせて取り付ける。これにより、パネル１０のカバー部分２４は、内箱２０に既に固定されている固定具５０を用いて、内箱２０側にワンタッチで簡単に取り付けることができる。なお、配線３０とコネクタ３１は、カバー部分２４の通し孔２４Ｈを通じて、パネル１０の照明基板１２側に導く。
【００４９】
次に、図５に示すように、コネクタ３１は、照明基板１２のコネクタ受け部１２Ｒに電気的に接続される。そして、シェード１３の爪部１３Ｍは、爪取付部２５Ｍにはめ込み、シェード１３の爪部１３Ｎは、爪取付部２５Ｎにはめ込むことで、シェード１３は、パネル１０の凹部２５を覆う。このシェード１３の凹凸部１３Ｐは、内側に光源１２Ｌが発生する照明光を分散させて、冷蔵室５内を均一に照明することができる。
【００５０】
以上説明したように、本実施形態の冷蔵庫１は、内箱２０と外箱２１を有する冷蔵庫本体２と、内箱２０に設けられた貫通孔２３に固定され、内箱２０内に配置される電気部品としての例えば照明基板１２に接続するための配線３０と配線３０に取り付けられたコネクタ３１からなる配線部品３２を、外箱２１と内箱２０の間から内箱２０内に導く固定具５０を備える。この固定具５０は、配線部品３２を保持する配線部品保持部５１と、固定具５０を内箱２０に対して接続して固定する接続部５２を有する。
【００５１】
これにより、固定具５０は、配線部品３２を保持する配線部品保持部５１と、固定具５０を内箱２０に接続して固定する接続部５２を有し、固定具５０は、照明基板１２に接続するための配線３０とコネクタ３１からなる配線部品３２を、配線部品３２を外箱２１と内箱２０の間から内箱２０内に導くようになっている。このため、断熱材２２を冷蔵庫本体２に充填する際には、固定具５０の配線部品保持部５１は、庫内の電気部品としての照明基板１２を接続するための配線部品３２を保持して、断熱材２２を充填後には、配線部品３２の保持を解消して、配線部品３２は電気部品としての照明基板１２に対して容易に電気的に接続することができる。
【００５２】
固定具５０の配線部品保持部５１は、配線３０を巻き付けて保持する巻き付け部５３と、コネクタ３１を保持するコネクタ保持部５４を有する。これにより、断熱材２２を充填する際には、配線３０は固定部５０の巻き付け部５３に巻き付けて保持させ、しかもコネクタ３１は固定部５０のコネクタ保持部５４に保持させることで、退避させる。このため、断熱材２２を充填後には、配線３０は巻き付け部５３から巻き戻して外し、コネクタ３１はコネクタ保持部５４から外すことで、配線部品３２は、照明基板１２に対して容易に電気的に接続することができる。
【００５３】
内箱２０は貫通孔２３を有し、固定具５０の接続部５２は、貫通孔２３を形成している内箱２０の周囲部分２３Ｂに係合される係合部５６を有する。これにより、固定部５０は、係合部５６を用いて、内箱２０に対して容易にしかも確実に固定することができる。
【００５４】
固定具５０は、配線部品３２を通すための配線部品導通孔５５を有している。これにより、配線部品３２は、固定具５０の配線部品導通孔５５に通して、内箱２０と外箱２１の間から、内箱２０の内側に容易に導くことができる。
【００５５】
固定具５０は、内箱２０と外箱２１の間に配置される断熱材２２を充填する際に、断熱材２２が貫通孔２３を形成している内箱２０の周囲部分２３Ｂと固定具５０との間から内箱２０内へ漏れるのを防止する漏れ防止部５７を有する。これにより、断熱材２２を内箱２０と外箱２１の間に充填する際に、漏れ防止部５７は、充填される断熱材２２が、内箱２０の貫通孔２３から内箱２０の内側に漏れるのを防止できる。このため、固定具５０を内箱２０に装着するために内箱２０の貫通孔２３に設けても、断熱材２２の充填が確実に行える。
【００５６】
固定具５０には、電気部品としての例えば照明基板１２を保持するための保持部品としての例えばカバー部材２４を支えるための支持部６０を有する。これにより、固定具５０を内箱２０に接続して固定すれば、照明基板１２を保持しているカバー部材２４は、固定具５０の支持部６０を用いて、内箱２０側に容易にしかも確実に支持して取り付けることができる。
【００５７】
接続部５２の係合部５７は、内箱２０の貫通孔２３に通して内箱２０の貫通孔２３を形成している周囲部分２３Ｂに係合される。配線部品導通孔５５のサイズは、コネクタ３１のサイズよりも大きく設定されている。これにより、接続部５２の係合部５７は、内箱２０の貫通孔２３に通すだけで、固定具５０は内箱２０に対して接続して固定できる。配線部品導通孔５５のサイズが、コネクタ３１のサイズよりも大きいことから、コネクタ３１と配線３０は、配線部品導通孔５５に通すだけで、配線部品３２は内箱２０と外箱２１の間から、内箱２０の内側へ導くことができる。
【００５８】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５９】
図１に示す冷蔵庫１の構造は、一例であり、任意の構造を採用することができる。図示した固定具５０の形状は、一例であり、任意に変更することができる。例えば固定具５０は、円筒形状に形成されているが、断面が円形以外の例えば正四角形状や楕円形状
等の中空形状に形成されていてもよい。固定具５０の漏れ防止部５７は、円形のフランジ形状に限らず、正四角形状や楕円形状等の他の形状であってもよい。
【００６０】
図示例では、照明基板１２が、庫内である冷蔵室５内に配置されている。しかし、照明基板が、冷凍室４内に配置される場合でも、本発明が適用できる。
【符号の説明】
【００６１】
１      冷蔵庫
２      冷蔵庫本体
５      冷蔵室
１０    パネル
１２    照明基板（電気部品の例）
１２Ｌ  光源
１２Ｒ  コネクタ受け部
２０    内箱
２１    外箱
２２    断熱材
２４    カバー部分（電気部品を保持する保持部品の例）
３０    配線
３１    コネクタ
３２    配線部品
５０    固定具
５１    配線部品保持部
５２    接続部
５３    巻き付け部
５４    コネクタ保持部
６０    保持部品の支持部
【図１】
2018059640.tif 000003
【図２】
2018059640.tif 000004
【図３】
2018059640.tif 000005
【図４】
2018059640.tif 000006
【図５】
2018059640.tif 000007
【図６】
2018059640.tif 000008
【図７】
2018059640.tif 000009
【図８】
2018059640.tif 000010
【図９】
2018059640.tif 000011